【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】  物体側より順に正の屈折力の第１レンズ群、負の屈折力の第２レンズ群、正の屈折力の第３レンズ群、負の屈折力の第４レンズ群、正の屈折力の第５レンズ群より構成された変倍光学系であって、該第２レンズ群と第４レンズ群、第５レンズ群を移動させて変倍を行ない、該第３レンズ群全体を光軸と垂直方向に移動させて該変倍光学系が振動した時の撮影画像のぶれを補正し、無限遠物体に対する該第５レンズ群の変倍時の最大移動量をＭ５、全系の広角端及び望遠端における焦点距離を各々ｆｗ，ｆｔとしたとき
０．１＜Ｍ５／ｆｗ＜０．４
４＜ｆｔ／ｆｗ＜２３
なる条件を満足することを特徴とする防振機能を有した変倍光学系。
【請求項２】  前記第１レンズ群は変倍と合焦の際固定であることを特徴とする請求項１の防振機能を有した変倍光学系。
【請求項３】  前記第５レンズ群を移動させて合焦を行うことを特徴とする請求項１または２の防振機能を有した変倍光学系。
【請求項４】  前記第４レンズ群を移動させて合焦を行うことを特徴とする請求項１または２の防振機能を有した変倍光学系。
【請求項５】  望遠端において、無限遠物体にフォーカスしている時の前記第３レンズ群の倍率をβ３、第４レンズ群と第５レンズ群の合成群の倍率をβ４５としたとき
０．３＜｜（１−β３）・β４５｜＜３
なる条件式を満足することを特徴とする請求項１または２の防振機能を有した変倍光学系。
【請求項６】  前記第３レンズ群は少なくとも１枚の負レンズを有することを特徴とする請求項１または２の防振機能を有した変倍光学系。
【請求項７】  前記第３レンズ群の焦点距離をｆ３としたとき
１．６＜ｆ３／ｆｗ＜４．０
なる条件を満足することを特徴とする請求項１または２の防振機能を有した変倍光学系。
【請求項８】  前記第３レンズ群は２枚の正レンズと１枚の負レンズを有していることを特徴とする請求項１または２の防振機能を有した変倍光学系。
【請求項９】  望遠端において、撮影画像のぶれを補正する為の前記第３レンズ群の光軸に垂直方向の最大移動量をＥＭ、望遠端において、無限遠物体にフォーカスしている時の前記第３レンズ群の倍率をβ３、第４レンズ群と第５レンズ群の合成群の倍率をβ４５としたとき
１．７×１０-3＜｜（１−β３）・β４５｜・ＥＭ／ｆｔ＜０．０５
なる条件式を満足することを特徴とする請求項１または２の防振機能を有した変倍光学系。
【請求項１０】  物体側より順に正の屈折力の第１レンズ群、負の屈折力の第２レンズ群、正の屈折力の第３レンズ群、負の屈折力の第４レンズ群、正の屈折力の第５レンズ群より構成された変倍光学系であって、該第２レンズ群と第４レンズ群、第５レンズ群を移動させて変倍を行ない、該第３レンズ群全体を光軸と垂直方向に移動させて該変倍光学系が振動した時の撮影画像のぶれを補正し、無限遠物体に対する該第５レンズ群の変倍時の最大移動量をＭ５、全系の広角端及び望遠端における焦点距離を各々ｆｗ，ｆｔ、望遠端において、無限遠物体にフォーカスしている時の前記第３レンズ群の倍率をβ３、第４レンズ群と第５レンズ群の合成群の倍率をβ４５、前記第３レンズ群の焦点距離をｆ３、望遠端において、撮影画像のぶれを補正する為の前記第３レンズ群の光軸に垂直方向の最大移動量をＥＭとしたとき
０．１＜Ｍ５／ｆｗ＜０．４
４＜ｆｔ／ｆｗ＜２３
０．３＜｜（１−β３）・β４５｜＜３
１．６＜ｆ３／ｆｗ＜４．０
１．７×１０-3＜｜（１−β３）・β４５｜・ＥＭ／ｆｔ＜０．０５
なる条件式を満足することを特徴とする防振機能を有した変倍光学系。
【請求項１１】  前記第２レンズ群は物体側より順に
物体側に凸面を向けたメニスカス状の負レンズ２１、
物体側に凹面を向けた負レンズ２２、
物体側に凸面を向けた正レンズ２３、
像面側に凹面を向けた負レンズ２４
を有していることを特徴とする請求項１又は１０の防振機能を有した変倍光学系。
【請求項１２】  前記負レンズ２４の焦点距離をｆ２４、前記第２レンズ群の焦点距離をｆ２としたとき
１．４＜｜ｆ２４／ｆ２｜＜４．６
なる条件式を満足することを特徴とする請求項１１の防振機能を有した変倍光学系。
【請求項１３】  前記第２レンズ群の焦点距離をｆ２、広角端と望遠端における全系の焦点距離を各々ｆｗ，ｆｔとするとき
【数１】
2001356270.tif 000001
なる条件式を満足することを特徴とする請求項１又は１０の防振機能を有した変倍光学系。
【請求項１４】  請求項１から１３のいずれか１項の防振機能を有した変倍光学系を有していることを特徴とする光学機器。
【手続補正２】
【補正対象書類名】明細書
【補正対象項目名】００１５
【補正方法】変更
【補正の内容】
【００１５】
【課題を解決するための手段】
請求項１の発明の防振機能を有した変倍光学系は、物体側より順に正の屈折力の第１レンズ群、負の屈折力の第２レンズ群、正の屈折力の第３レンズ群、負の屈折力の第４レンズ群、正の屈折力の第５レンズ群より構成された変倍光学系であって、該第２レンズ群と第４レンズ群、第５レンズ群を移動させて変倍を行ない、該第３レンズ群全体を光軸と垂直方向に移動させて該変倍光学系が振動した時の撮影画像のぶれを補正し、無限遠物体に対する該第５レンズ群の変倍時の最大移動量をＭ５、全系の広角端及び望遠端における焦点距離を各々ｆｗ，ｆｔとしたとき
０．１＜Ｍ５／ｆｗ＜０．４‥‥‥（１）
４＜ｆｔ／ｆｗ＜２３  ‥‥‥（２）
なる条件を満足することを特徴としている。
【手続補正３】
【補正対象書類名】明細書
【補正対象項目名】００２４
【補正方法】変更
【補正の内容】
【００２４】
請求項１０の発明の防振機能を有した変倍光学系は、物体側より順に正の屈折力の第１レンズ群、負の屈折力の第２レンズ群、正の屈折力の第３レンズ群、負の屈折力の第４レンズ群、正の屈折力の第５レンズ群より構成された変倍光学系であって、該第２レンズ群と第４レンズ群、第５レンズ群を移動させて変倍を行ない、該第３レンズ群全体を光軸と垂直方向に移動させて該変倍光学系が振動した時の撮影画像のぶれを補正し、無限遠物体に対する該第５レンズ群の変倍時の最大移動量をＭ５、全系の広角端及び望遠端における焦点距離を各々ｆｗ，ｆｔ、望遠端において、無限遠物体にフォーカスしている時の前記第３レンズ群の倍率をβ３、第４レンズ群と第５レンズ群の合成群の倍率をβ４５、前記第３レンズ群の焦点距離をｆ３、望遠端において、撮影画像のぶれを補正する為の前記第３レンズ群の光軸に垂直方向の最大移動量をＥＭとしたとき
０．１＜Ｍ５／ｆｗ＜０．４  ‥‥‥（１）
４＜ｆｔ／ｆｗ＜２３    ‥‥‥（２）
０．３＜｜（１−β３）・β４５｜＜３  ‥‥‥（３）
１．６＜ｆ３／ｆｗ＜４．０  ‥‥‥（４）
１．７×１０-3＜｜（１−β３）・β４５｜・ＥＭ／ｆｔ＜０．０５
‥‥‥（５）
なる条件式を満足することを特徴としている。
【手続補正４】
【補正対象書類名】明細書
【補正対象項目名】００５７
【補正方法】変更
【補正の内容】
【００５７】
一方偏心敏感度ＴＳが小さすぎると制御のために必要なシフトレンズ群の移動量が大きくなってしまい、シフトレンズ群を駆動するためのアクチュエーターなどの駆動手段も大きくなってしまう。
【手続補正５】
【補正対象書類名】明細書
【補正対象項目名】００７９
【補正方法】変更
【補正の内容】
【００７９】
（ア−９）前記第２レンズ群は物体側より順に物体側に凸面を向けたメニスカス状の負レンズ２１、物体側に凹面を向けた負レンズ２２、物体側に凸面を向けた正レンズ２３、像面側に凹面を向けた負レンズ２４を有していることである。
【手続補正６】
【補正対象書類名】明細書
【補正対象項目名】００９９
【補正方法】変更
【補正の内容】
【００９９】
非球面形状は光軸方向にＸ軸、光軸と垂直方向にｈ軸、光の進行方向を正とし、Ｒを近軸曲率半径、Ｂ，Ｃ，Ｄ，Ｅを各々非球面係数としたとき
【手続補正７】
【補正対象書類名】明細書
【補正対象項目名】０１００
【補正方法】変更
【補正の内容】
【０１００】
【数４】
2001356270.tif 000002